【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
（Ａ）２次元マトリクス状に配列されたＵ0×Ｖ0個の面状発光部材から構成された光源、
（Ｂ）複数の画素を有し、各面状発光部材から順次出射された光を各画素によって変調して２次元画像を生成し、且つ、生成した２次元画像における空間周波数を、各画素から生じる複数の回折次数に対応した回折角に沿って出射する光変調手段、並びに、
（Ｃ）光変調手段から出射された２次元画像における空間周波数をフーリエ変換して、前記複数の回折次数に対応する数のフーリエ変換像を生成し、該フーリエ変換像を結像させるフーリエ変換像形成手段、
を備えている３次元像表示装置。
【請求項２】
（Ｄ）フーリエ変換像形成手段によって結像されたフーリエ変換像の共役像を形成する共役像形成手段、
を更に備えている請求項１に記載の３次元像表示装置。
【請求項３】
（Ｅ）前記複数の回折次数に対応する数だけ生成されたフーリエ変換像の内、所望の回折次数に対応するフーリエ変換像を選択するフーリエ変換像選択手段、
を更に備えており、
該フーリエ変換像選択手段は、フーリエ変換像が結像される位置に配置されている請求項１又は請求項２に記載の３次元像表示装置。
【請求項４】
フーリエ変換像選択手段は、液晶表示装置から成る請求項３に記載の３次元像表示装置。
【請求項５】
フーリエ変換像選択手段は、Ｕ0×Ｖ0個の開口部を有する請求項３に記載の３次元像表示装置。
【請求項６】
フーリエ変換像選択手段が有する開口部の大きさは、フーリエ変換像選択手段上に結像されたフーリエ変換像の大きさと略等しい請求項５に記載の３次元像表示装置。
【請求項７】
フーリエ変換像形成手段によって結像されたフーリエ変換像を逆フーリエ変換することにより、光変調手段によって生成された２次元画像の実像を形成する逆フーリエ変換手段を更に備えている請求項１乃至請求項６のいずれか１項に記載の３次元像表示装置。
【請求項８】
光変調手段は、２次元的に配列された複数の画素を有する２次元空間光変調器から成り、各画素は開口を備えている請求項１乃至請求項７のいずれか１項に記載の３次元像表示装置。
【請求項９】
各面状発光部材は、
（ａ）一端面から光を出射するロッドインテグレータ、及び、
（ｂ）ロッドインテグレータの他端面に配置された発光ダイオード、
から成る請求項１乃至請求項８のいずれか１項に記載の３次元像表示装置。
【請求項１０】
ロッドインテグレータの一端面には、光拡散部材が配置されている請求項９に記載の３次元像表示装置。
【請求項１１】
各面状発光部材は、
（ａ）一端面から光を出射するロッドインテグレータ、
（ｂ）ロッドインテグレータの他端面に配置された発光ダイオード、
（ｃ）ロッドインテグレータの一端面に配置され、偏光状態に応じて、入射した光の一部を通過させ、残りを反射する反射型偏光部材、並びに、
（ｄ）ロッドインテグレータの他端面の発光ダイオードから出射された光を遮らない部分に設けられた光反射部材、
から成る請求項１乃至請求項８のいずれか１項に記載の３次元像表示装置。
【請求項１２】
各面状発光部材は、
（ｅ）ロッドインテグレータの他端面と光反射部材との間に配置された四分の一波長板、
を更に備えている請求項１１に記載の３次元像表示装置。
【請求項１３】
各面状発光部材は、
（ｆ）反射型偏光部材の上に設けられた光拡散部材、
を更に備えている請求項１１又は請求項１２に記載の３次元像表示装置。
【請求項１４】
各面状発光部材は、
（ａ）第１プリズム、第２プリズム及び偏光ビームスプリッターを備えたＰＳ偏光分離変換素子、並びに、
（ｂ）発光ダイオード、
から成り、
第１プリズムと第２プリズムとは、偏光ビームスプリッターの偏光分離面を介して対向して配置されており、
第１プリズムには、発光ダイオードから出射された光を遮らない部分に設けられた第１光反射部材、及び、第２光反射部材が備えられており、
発光ダイオードから出射され、第１プリズムに入射した光のＳ偏光成分は、偏光ビームスプリッターによって反射され、第２光反射部材によって反射され、偏光ビームスプリッターによって再び反射され、更に、第１光反射部材によって反射され、
発光ダイオードから出射され、第１プリズムに入射した光のＰ偏光成分、及び、第１光反射部材によって反射された光のＰ偏光成分は、偏光ビームスプリッターを通過し、第２プリズムの出射面から出射される請求項１乃至請求項８のいずれか１項に記載の３次元像表示装置。
【請求項１５】
各面状発光部材は、
（ｃ）第１プリズムと第１光反射部材との間に配置された四分の一波長板、
を更に備えている請求項１４に記載の３次元像表示装置。
【請求項１６】
各面状発光部材は、
（ａ）一端面から光を出射する板状部材、
（ｂ）板状部材の他端面に配置された発光ダイオード、
（ｃ）板状部材の一端面に配置され、偏光状態に応じて、入射した光の一部を通過させ、残りを反射する反射型偏光部材、
（ｄ）板状部材の他端面の発光ダイオードから出射された光を遮らない部分に設けられた光反射部材、
（ｅ）板状部材の他端面と光反射部材との間に配置された四分の一波長板、並びに、
（ｆ）反射型偏光部材の上に設けられた光拡散部材、
から成る請求項１乃至請求項８のいずれか１項に記載の３次元像表示装置。
【請求項１７】
各面状発光部材から順次出射された光の光強度を測定するための光検出手段を備えている請求項１乃至請求項１６のいずれか１項に記載の３次元像表示装置。
【請求項１８】
光検出手段における光強度の測定結果に基づき、各面状発光部材の発光状態を制御する請求項１７に記載の３次元像表示装置。
【請求項１９】
光検出手段における光強度の測定結果に基づき、光変調手段の作動状態を制御する請求項１７に記載の３次元像表示装置。
【請求項２０】
（Ａ）２次元マトリクス状に配列されたＵ0×Ｖ0個の面状発光部材から構成された光源、
（Ｂ）Ｘ方向及びＹ方向に沿って２次元マトリクス状に配列された開口を有し、各面状発光部材から順次出射された光の通過あるいは反射を開口毎に制御することで２次元画像を生成し、且つ、該２次元画像に基づき、開口毎に、複数の回折次数の回折光を生成する２次元画像形成装置、
（Ｃ）その前側焦点面に２次元画像形成装置が配置されている第１のレンズ、
（Ｄ）第１のレンズの後側焦点面に、その前側焦点面が位置している第２のレンズ、並びに、
（Ｅ）第２のレンズの後側焦点面に、その前側焦点面が位置している第３のレンズ、
を備えている３次元像表示装置。
【請求項２１】
（Ｆ）Ｕ0×Ｖ0個の開閉制御可能な開口部を有し、第１のレンズの後側焦点面に位置する空間フィルタ、
を更に備えている請求項２０に記載の３次元像表示装置。
【請求項２２】
空間フィルタは、液晶表示装置から成る請求項２１に記載の３次元像表示装置。
【請求項２３】
空間フィルタは、Ｕ0×Ｖ0個の開口部を有する請求項２１に記載の３次元像表示装置。
【請求項２４】
空間フィルタが有する開口部の大きさは、２次元画像形成装置によって生成され、空間フィルタ上に結像された２次元画像の大きさと略等しい請求項２１に記載の３次元像表示装置。
【請求項２５】
（Ｆ）Ｕ0×Ｖ0個の開口部を有し、第１のレンズの後側焦点面に位置する散乱回折制限部材、
を更に備えている請求項２０に記載の３次元像表示装置。
【請求項２６】
各面状発光部材は、
（ａ）一端面から光を出射するロッドインテグレータ、及び、
（ｂ）ロッドインテグレータの他端面に配置された発光ダイオード、
から成る請求項２０乃至請求項２５のいずれか１項に記載の３次元像表示装置。
【請求項２７】
ロッドインテグレータの一端面には、光拡散部材が配置されている請求項２６に記載の３次元像表示装置。
【請求項２８】
各面状発光部材は、
（ａ）一端面から光を出射するロッドインテグレータ、
（ｂ）ロッドインテグレータの他端面に配置された発光ダイオード、
（ｃ）ロッドインテグレータの一端面に配置され、偏光状態に応じて、入射した光の一部を通過させ、残りを反射する反射型偏光部材、並びに、
（ｄ）ロッドインテグレータの他端面の発光ダイオードから出射された光を遮らない部分に設けられた光反射部材、
から成る請求項２０乃至請求項２５のいずれか１項に記載の３次元像表示装置。
【請求項２９】
各面状発光部材は、
（ｅ）ロッドインテグレータの他端面と光反射部材との間に配置された四分の一波長板、
を更に備えている請求項２８に記載の３次元像表示装置。
【請求項３０】
各面状発光部材は、
（ｆ）反射型偏光部材の上に設けられた光拡散部材、
を更に備えている請求項２８又は請求項２９に記載の３次元像表示装置。
【請求項３１】
各面状発光部材は、
（ａ）第１プリズム、第２プリズム及び偏光ビームスプリッターを備えたＰＳ偏光分離変換素子、並びに、
（ｂ）発光ダイオード、
から成り、
第１プリズムと第２プリズムとは、偏光ビームスプリッターの偏光分離面を介して対向して配置されており、
第１プリズムには、発光ダイオードから出射された光を遮らない部分に設けられた第１光反射部材、及び、第２光反射部材が備えられており、
発光ダイオードから出射され、第１プリズムに入射した光のＳ偏光成分は、偏光ビームスプリッターによって反射され、第２光反射部材によって反射され、偏光ビームスプリッターによって再び反射され、更に、第１光反射部材によって反射され、
発光ダイオードから出射され、第１プリズムに入射した光のＰ偏光成分、及び、第１光反射部材によって反射された光のＰ偏光成分は、偏光ビームスプリッターを通過し、第２プリズムの出射面から出射される請求項２０乃至請求項２５のいずれか１項に記載の３次元像表示装置。
【請求項３２】
各面状発光部材は、
（ｃ）第１プリズムと第１光反射部材との間に配置された四分の一波長板、
を更に備えている請求項３１に記載の３次元像表示装置。
【請求項３３】
各面状発光部材は、
（ａ）一端面から光を出射する板状部材、
（ｂ）板状部材の他端面に配置された発光ダイオード、
（ｃ）板状部材の一端面に配置され、偏光状態に応じて、入射した光の一部を通過させ、残りを反射する反射型偏光部材、
（ｄ）板状部材の他端面の発光ダイオードから出射された光を遮らない部分に設けられた光反射部材、
（ｅ）板状部材の他端面と光反射部材との間に配置された四分の一波長板、並びに、
（ｆ）反射型偏光部材の上に設けられた光拡散部材、
から成る請求項２０乃至請求項２５のいずれか１項に記載の３次元像表示装置。
【請求項３４】
各面状発光部材から順次出射された光の光強度を測定するための光検出手段を備えている請求項２０乃至請求項３３のいずれか１項に記載の３次元像表示装置。
【請求項３５】
光検出手段における光強度の測定結果に基づき、各面状発光部材の発光状態を制御する請求項３４に記載の３次元像表示装置。
【請求項３６】
光検出手段における光強度の測定結果に基づき、２次元画像形成装置の作動状態を制御する請求項３４に記載の３次元像表示装置。
【請求項３７】
（Ａ）２次元マトリクス状に配列されたＵ0×Ｖ0個の面状発光部材から構成された光源、
（Ｂ）複数の画素を有し、各面状発光部材から順次出射された光を各画素によって変調して２次元画像を生成し、且つ、生成した２次元画像における空間周波数を、各画素から生じる複数の回折次数に対応した回折角に沿って出射する光変調手段、並びに、
（Ｃ）光変調手段から出射された２次元画像における空間周波数をフーリエ変換して、前記複数の回折次数に対応する数のフーリエ変換像を生成し、該フーリエ変換像を結像させるフーリエ変換像形成手段、
を備えている画像表示装置を用いた画像表示方法であって、
Ｕ0×Ｖ0個の面状発光部材は２以上のセグメントに分割されており、或るセグメントに属する面状発光部材を発光させて前記光変調手段において２次元画像を生成し、次に、該或るセグメントとは異なるセグメントに属する面状発光部材を発光させることで前記光変調手段において２次元画像を生成する画像表示方法。
【請求項３８】
（Ａ）２次元マトリクス状に配列されたＵ0×Ｖ0個の面状発光部材から構成された光源、
（Ｂ）Ｘ方向及びＹ方向に沿って２次元マトリクス状に配列された開口を有し、各面状発光部材から順次出射された光の通過あるいは反射を開口毎に制御することで２次元画像を生成し、且つ、該２次元画像に基づき、開口毎に、複数の回折次数の回折光を生成する２次元画像形成装置、
（Ｃ）その前側焦点面に２次元画像形成装置が配置されている第１のレンズ、
（Ｄ）第１のレンズの後側焦点面に、その前側焦点面が位置している第２のレンズ、並びに、
（Ｅ）第２のレンズの後側焦点面に、その前側焦点面が位置している第３のレンズ、
を備えている画像表示装置を用いた画像表示方法であって、
Ｕ0×Ｖ0個の面状発光部材は２以上のセグメントに分割されており、或るセグメントに属する面状発光部材を発光させて前記２次元画像形成装置において２次元画像を生成し、次に、該或るセグメントとは異なるセグメントに属する面状発光部材を発光させることで前記２次元画像形成装置において２次元画像を生成する画像表示方法。